(57)【要約】      （修正有）【課題】車椅子のフットレスト部分の進入空間を十分に確保することができる車椅子対応のキャビネットを提供する。【解決手段】前面が開放されたキャビネット本体１０と、キャビネット本体１０の前面開口を開閉する扉とから構成されており、キャビネット本体１０は、背板１１、左右一対の側板１２、１２、底板１４の前端部に蹴込み板が連設された、左右に分割可能な蹴込み板付き底板及び背板１１の下端部に沿って配設される横配管を隠蔽する配管カバー部１６を備えている。分割された左側蹴込み板付き底板１３Ａは、底板１４部分が蹴込み板部分から張り出しており、張出部分が配管カバー部１６の前方側で垂下するように、蹴込み板部分を配管カバー１６の上面に載置することで、車椅子の使用態様時には、左側蹴込み板付き底板１３Ａを保護部材として排水縦管の配管スペースを区画する。【選択図】図１６
2014057813.tif 000002
【特許請求の範囲】
【請求項１】
背板、左右一対の側板及び蹴込み板付き底板を有する、前面が開放されたキャビネット本体と、
前記キャビネット本体の前面開口を開閉する扉と
を備えた給排水設備を有するキャビネットにおいて、
排水管の縦配管スペースを、前記キャビネット本体の左側または右側の後方角部側に配置し、
前記蹴込み板付き底板を、左右に分割可能かつ着脱可能に取り付け、
前記キャビネット本体から取り外して分割したいずれか一方の蹴込み板付き底板を保護部材として、少なくとも排水管の縦配管スペースを区画可能に構成したことを特徴とするキャビネット。
【請求項２】
前記キャビネット本体は、前記背板に沿うように、その下端部に配設される横配管を隠蔽する、前記背板から前方側に張り出す水平板及びこの水平板の前端部に連設された垂下板からなる配管カバー部を有し、
前記排水管の縦配管は、前記配管カバー部の水平板を貫通して立ち上がっており、
前記蹴込み板付き底板は、前記配管カバー部の前方側に配設されており、
分割された一方の前記蹴込み板付き底板を前記保護部材として使用する場合は、その底板部分の左右方向が上下方向を向くと共に、その底板部分の上面が前面側を向くように、前記蹴込み板部分を前記配管カバーの前記水平板の上面に載置した状態で固定するようになっている請求項１に記載のキャビネット。
【請求項３】
前記蹴込み板付き底板は、蹴込み板部分と底板部分とで左右方向の分割位置がそれぞれ異なっており、
前記保護部材として使用される、分割された前記蹴込み板付き底板は、底板部分の左右方向の長さをＬｂ、蹴込み板部分の左右方向の長さをＬｒとしたときに、Ｌｂ＞Ｌｒとなるように設定されており、
その保護部材によって排水管の縦配管スペースを区画する場合は、底板部分における蹴込み板部分から突出している部分が前記配管カバー部の前方側で垂下するように、前記蹴込み板を前記配管カバーの前記水平板の上面に載置するようになっている請求項２に記載のキャビネット。
【請求項４】
前記蹴込み板付き底板の蹴込み板部分は、その上部と下部で左右方向の分割位置がそれぞれ異なっており、
前記保護部材として使用される、分割された前記蹴込み板付き底板は、底板部分の左右方向の長さをＬｂ、蹴込み板部分の上部の左右方向の長さをＬｒｕ、蹴込み板部分の下部の左右方向の長さをＬｒｄとしたときに、Ｌｂ≧Ｌｒｕ＞Ｌｒｄとなるように設定されており、
その保護部材によって排水管の縦配管スペースを区画する場合は、蹴込み板部分の上部を前記配管カバー部の垂下板の前面に当接させることで、前記底板部分を前後方向に位置決めした状態で、蹴込み板部分の下部を前記配管カバーの前記水平板の上面に載置するようになっている請求項２に記載のキャビネット。
【請求項５】
前記蹴込み板付き底板は、左右に分割された状態で、底板の後端部に連設された後脚板を有しており、
前記蹴込み板は、左右に分割されることなく、前記保護部材として使用されない、分割された前記蹴込み板付き底板の底板部分に連設されており、
前記蹴込み板付き底板は、後脚板部分と底板部分とで左右方向の分割位置がそれぞれ異なっており、
前記保護部材として使用される、分割された前記蹴込み板付き底板は、底板部分の左右方向の長さをＬｂ、後脚板部分の左右方向の長さをＬｒとしたときに、Ｌｂ＞Ｌｒとなるように設定されており、
その保護部材によって排水管の縦配管スペースを区画する場合は、底板部分における後脚板部分から突出している部分が前記配管カバー部の前方側で垂下するように、前記後脚板を前記配管カバーの前記水平板の上面に載置するようになっている請求項２に記載のキャビネット。
【請求項６】
前記蹴込み板付き底板は、左右に分割された状態で、底板の後端部に連設された後脚板を有しており、
前記蹴込み板は、左右に分割されることなく、前記保護部材として使用されない、分割された前記蹴込み板付き底板の底板部分に連設されており、
前記保護部材として使用される、分割された前記蹴込み板付き底板は、その後脚板部分が、底板部分の左右方向の長さをＬｂ、後脚板部分の上部の左右方向の長さをＬｒｕ、後脚板部分の下部の左右方向の長さをＬｒｄとしたときに、Ｌｂ≧Ｌｒｕ＞Ｌｒｄとなるように、左右方向の一端側が一部切り欠かれており、
その保護部材によって排水管の縦配管スペースを区画する場合は、後脚板部分の上部を前記配管カバー部の垂下板の前面に当接させることで、前記底板部分を前後方向に位置決めした状態で、後脚板部分の下部を前記配管カバーの前記水平板の上面に載置するようになっている請求項２に記載のキャビネット。
【請求項７】
前記蹴込み板付き底板は、左右に分割された状態で、底板の後端部に連設された後脚板を有しており、
前記蹴込み板は、左右に分割されることなく、前記保護部材として使用されない、分割された前記蹴込み板付き底板の底板部分に連設されており、
前記蹴込み板付き底板の後脚板部分は、その上部と下部で左右方向の分割位置がそれぞれ異なっており、
前記保護部材として使用される、分割された前記蹴込み板付き底板は、底板部分の左右方向の長さをＬｂ、後脚板部分の上部の左右方向の長さをＬｒｕ、蹴込み板部分の下部の左右方向の長さをＬｒｄとしたときに、Ｌｂ≧Ｌｒｕ＞Ｌｒｄとなるように設定されており、
その保護部材によって排水管の縦配管スペースを区画する場合は、後脚板部分の上部を前記配管カバー部の垂下板の前面に当接させることで、前記底板部分を前後方向に位置決めした状態で、後脚板部分の下部を前記配管カバーの前記水平板の上面に載置するようになっている請求項２に記載のキャビネット。
【請求項８】
前記配管カバー部の垂下板の前面には、前記保護部材として使用する、分割された前記蹴込み板付き底板を、その底板部分を当接させることによって、前後方向に位置決めする位置決め部材が取り付けられている請求項３、４、５、６または７に記載のキャビネット。
【請求項９】
前記保護部材として使用される、分割された一方の前記蹴込み板付き底板の前記蹴込み板に着脱可能に取り付ける連結部材を備えており、
前記連結部材を取り付けた前記保護部材によって、排水管の縦配管スペースを区画した状態では、前記連結部材が前記蹴込み板と前記背板との間の隙間を閉塞するようになっている請求項２、３、４、５、６、７または８に記載のキャビネット。
【請求項１０】
前記扉は、前記側板に着脱自在に取り付けられている請求項１、２、３、４、５、６、７、８または９に記載のキャビネット。
【発明の詳細な説明】
【技術分野】
【０００１】
この発明は、例えば、洗面化粧台や流し台に使用される給排水設備を有するキャビネット、特に、必要に応じて、ニースペースを確保することができる車椅子対応のキャビネットに関する。
【背景技術】
【０００２】
こういった車椅子対応のキャビネットを備えた洗面化粧台としては、例えば、図３７及び図３８に示すようなものがある。この洗面化粧台のキャビネット５０は、同図に示すように、背板５２、左右一対の側板５３、５３、背板５２の全幅にわたって、その下半部から前方に張り出す、給排水配管を隠蔽するための配管カバー部５４及びこの配管カバー部５４の前面に、蝶番５６を介して、回動可能に取り付けられた蹴込み板付き底板５５を有する、前面が開放されたキャビネット本体５１と、このキャビネット本体５１の前面開口を開閉する扉５７とを備えており、蹴込み板付き底板５５は、底板５５ａの前方側下面に蝶番５５ｃを介して蹴込み板５５ｂが折り畳み可能に取り付けられている。
【０００３】
従って、健常者がこの洗面化粧台を使用する場合は、キャビネット５０の内部を収納空間として使用することができるが、車椅子に座った足腰の弱い高齢者等がこの洗面化粧台を使用する場合は、図３９に示すように、蹴込み板付き底板５５の前端部を持ち上げて、底板５５ａの上面を配管カバー部５４の前面に沿わせるような状態で固定すると共に、蹴込み板５５ｂを折り畳むと、ニースペースが確保されるようになっており、足腰の弱い高齢者等が車椅子に座った状態で、足を載せるフットレスト部分をキャビネット５０内に進入させることができるようになっている。
【先行技術文献】
【特許文献】
【０００４】
【特許文献１】特開２００１−２９２９１９号公報
【発明の概要】
【発明が解決しようとする課題】
【０００５】
しかしながら、上述したキャビネット５０は、蹴込み板付き底板５５の前端部を持ち上げて、底板５５ａの上面を配管カバー部５４の前面に沿わせるような状態で固定しているだけなので、車椅子のフットレスト部分のキャビネット５０内への進入空間を十分に確保しているとはいえず、車椅子に座った高齢者等と洗面化粧台のボウルとの間隔がある程度大きくなってしまうので、車椅子に座った高齢者等が洗面化粧台を使いにくいといった問題がある。
【０００６】
そこで、この発明の課題は、車椅子のフットレスト部分の進入空間を十分に確保することができる車椅子対応のキャビネットを提供することにある。
【課題を解決するための手段】
【０００７】
上記の課題を解決するため、請求項１に係る発明は、背板、左右一対の側板及び蹴込み板付き底板を有する、前面が開放されたキャビネット本体と、前記キャビネット本体の前面開口を開閉する扉とを備えた給排水設備を有するキャビネットにおいて、排水管の縦配管スペースを、前記キャビネット本体の左側または右側の後方角部側に配置し、前記蹴込み板付き底板を、左右に分割可能かつ着脱可能に取り付け、前記キャビネット本体から取り外して分割したいずれか一方の蹴込み板付き底板を保護部材として、少なくとも排水管の縦配管スペースを区画可能に構成したことを特徴とするキャビネットを提供するものである。
【０００８】
また、請求項２に係る発明は、請求項１に係る発明のキャビネットにおいて、前記キャビネット本体は、前記背板に沿うように、その下端部に配設される横配管を隠蔽する、前記背板から前方側に張り出す水平板及びこの水平板の前端部に連設された垂下板からなる配管カバー部を有し、前記排水管の縦配管は、前記配管カバー部の水平板を貫通して立ち上がっており、前記蹴込み板付き底板は、前記配管カバー部の前方側に配設されており、分割された一方の前記蹴込み板付き底板を前記保護部材として使用する場合は、その底板部分の左右方向が上下方向を向くと共に、その底板部分の上面が前面側を向くように、前記蹴込み板部分を前記配管カバーの前記水平板の上面に載置した状態で固定するようになっていることを特徴としている。
【０００９】
また、請求項３に係る発明は、請求項２に係る発明のキャビネットにおいて、前記蹴込み板付き底板は、蹴込み板部分と底板部分とで左右方向の分割位置がそれぞれ異なっており、前記保護部材として使用される、分割された前記蹴込み板付き底板は、底板部分の左右方向の長さをＬｂ、蹴込み板部分の左右方向の長さをＬｒとしたときに、Ｌｂ＞Ｌｒとなるように設定されており、その保護部材によって排水管の縦配管スペースを区画する場合は、底板部分における蹴込み板部分から突出している部分が前記配管カバー部の前方側で垂下するように、前記蹴込み板部分を前記配管カバーの前記水平板の上面に載置するようになっていることを特徴としている。
【００１０】
また、請求項４に係る発明は、請求項２に係る発明のキャビネットにおいて、前記蹴込み板付き底板の蹴込み板部分は、その上部と下部で左右方向の分割位置がそれぞれ異なっており、前記保護部材として使用される、分割された前記蹴込み板付き底板は、底板部分の左右方向の長さをＬｂ、蹴込み板部分の上部の左右方向の長さをＬｒｕ、蹴込み板部分の下部の左右方向の長さをＬｒｄとしたときに、Ｌｂ≧Ｌｒｕ＞Ｌｒｄとなるように設定されており、その保護部材によって排水管の縦配管スペースを区画する場合は、蹴込み板部分の上部を前記配管カバー部の垂下板の前面に当接させることで、前記底板部分を前後方向に位置決めした状態で、蹴込み板部分の下部を前記配管カバーの前記水平板の上面に載置するようになっていることを特徴としている。
【００１１】
また、請求項５に係る発明は、請求項２に係る発明のキャビネットにおいて、前記蹴込み板付き底板は、左右に分割された状態で、底板の後端部に連設された後脚板を有しており、前記蹴込み板は、左右に分割されることなく、前記保護部材として使用されない、分割された前記蹴込み板付き底板の底板部分に連設されており、前記蹴込み板付き底板は、後脚板部分と底板部分とで左右方向の分割位置がそれぞれ異なっており、前記保護部材として使用される、分割された前記蹴込み板付き底板は、底板部分の左右方向の長さをＬｂ、後脚板部分の左右方向の長さをＬｒとしたときに、Ｌｂ＞Ｌｒとなるように設定されており、その保護部材によって排水管の縦配管スペースを区画する場合は、底板部分における後脚板部分から突出している部分が前記配管カバー部の前方側で垂下するように、前記後脚板を前記配管カバーの前記水平板の上面に載置するようになっていることを特徴としている。
【００１２】
また、請求項６に係る発明は、請求項２に係る発明のキャビネットにおいて、前記蹴込み板付き底板は、左右に分割された状態で、底板の後端部に連設された後脚板を有しており、前記蹴込み板は、左右に分割されることなく、前記保護部材として使用されない、分割された前記蹴込み板付き底板の底板部分に連設されており、前記保護部材として使用される、分割された前記蹴込み板付き底板は、その後脚板部分が、底板部分の左右方向の長さをＬｂ、後脚板部分の上部の左右方向の長さをＬｒｕ、後脚板部分の下部の左右方向の長さをＬｒｄとしたときに、Ｌｂ≧Ｌｒｕ＞Ｌｒｄとなるように、左右方向の一端側が一部切り欠かれており、その保護部材によって排水管の縦配管スペースを区画する場合は、後脚板部分の上部を前記配管カバー部の垂下板の前面に当接させることで、前記底板部分を前後方向に位置決めした状態で、後脚板部分の下部を前記配管カバーの前記水平板の上面に載置するようになっていることを特徴としている。
【００１３】
また、請求項７に係る発明は、請求項２に係る発明のキャビネットにおいて、前記蹴込み板付き底板は、左右に分割された状態で、底板の後端部に連設された後脚板を有しており、前記蹴込み板は、左右に分割されることなく、前記保護部材として使用されない、分割された前記蹴込み板付き底板の底板部分に連設されており、前記蹴込み板付き底板の後脚板部分は、その上部と下部で左右方向の分割位置がそれぞれ異なっており、前記保護部材として使用される、分割された前記蹴込み板付き底板は、底板部分の左右方向の長さをＬｂ、後脚板部分の上部の左右方向の長さをＬｒｕ、蹴込み板部分の下部の左右方向の長さをＬｒｄとしたときに、Ｌｂ≧Ｌｒｕ＞Ｌｒｄとなるように設定されており、その保護部材によって排水管の縦配管スペースを区画する場合は、後脚板部分の上部を前記配管カバー部の垂下板の前面に当接させることで、前記底板部分を前後方向に位置決めした状態で、後脚板部分の下部を前記配管カバーの前記水平板の上面に載置するようになっていることを特徴としている。
【００１４】
また、請求項８に係る発明は、請求項３、４、５、６または７に係る発明のキャビネットにおいて、前記配管カバー部の垂下板の前面には、前記保護部材として使用する、分割された前記蹴込み板付き底板を、その底板部分を当接させることによって、前後方向に位置決めする位置決め部材が取り付けられていることを特徴としている。
【００１５】
また、請求項９に係る発明は、請求項２、３、４、５、６、７または８に係る発明のキャビネットにおいて、前記保護部材として使用される、分割された一方の前記蹴込み板付き底板の前記蹴込み板に着脱可能に取り付ける連結部材を備えており、前記連結部材を取り付けた前記保護部材によって、排水管の縦配管スペースを区画した状態では、前記連結部材が前記蹴込み板と前記背板との間の隙間を閉塞するようになっていることを特徴としている。
【００１６】
また、請求項１０に係る発明は、請求項１、２、３、４、５、６、７、８または９に係る発明のキャビネットにおいて、前記扉は、前記側板に着脱自在に取り付けられていることを特徴としている。
【発明の効果】
【００１７】
以上のように、請求項１に係る発明のキャビネットは、排水管の縦配管スペースを、キャビネット本体の左側または右側の後方角部側に配置し、蹴込み板付き底板を、左右に分割可能かつ着脱可能に取り付け、キャビネット本体から取り外して分割したいずれか一方の蹴込み板付き底板を保護部材として、少なくとも排水管の縦配管スペースを区画可能に構成したので、蹴込み板付き底板を分割することなく、そのまま排水管の保護部材としてキャビネット本体内の後部に起立させた従来の車椅子対応のキャビネットとは異なり、キャビネット本体内の左右いずれか一方の奥行きを広く使用することができる。従って、従来の車椅子対応のキャビネットに比べて、車椅子のフットレスト部分の進入空間を十分に確保することができ、車椅子に座った高齢者等がこういったキャビネットを備えた洗面化粧台や流し台を使い易くなるという効果が得られる。
【００１８】
また、キャビネット本体が、背板に沿うように、その下端部に配設される横配管を隠蔽する、背板から前方側に張り出す水平板及びこの水平板の前端部に連設された垂下板からなる配管カバー部を有し、排水管の縦配管が、配管カバー部の水平板を貫通して立ち上がっている場合は、請求項２に係る発明のキャビネットのように、蹴込み板付き底板を、配管カバー部の前方側に配設し、保護部材として使用する、分割された一方の蹴込み板付き底板の底板部分の左右方向が上下方向を向くと共に、その底板部分の上面が前面側を向くように、蹴込み板部分を配管カバーの水平板の上面に載置した状態で固定すればよい。
【００１９】
特に、請求項３に係る発明のキャビネットのように、保護部材として使用される、分割された蹴込み板付き底板が、底板部分の左右方向の長さをＬｂ、蹴込み板部分の左右方向の長さをＬｒとしたときに、Ｌｂ＞Ｌｒとなるように設定し、その保護部材によって排水管の縦配管スペースを区画する場合は、底板部分における蹴込み板部分から突出している部分が配管カバー部の前方側で垂下するように、蹴込み板を配管カバーの水平板の上面に載置するようにしておくと、保護部材を配管カバー部の前面側で固定することができるので、保持安定性が向上する。
【００２０】
また、請求項４に係る発明のキャビネットでは、保護部材として使用される、分割された蹴込み板付き底板は、底板部分の左右方向の長さをＬｂ、蹴込み板部分の上部の左右方向の長さをＬｒｕ、蹴込み板部分の下部の左右方向の長さをＬｒｄとしたときに、Ｌｂ≧Ｌｒｕ＞Ｌｒｄとなるように設定されており、その保護部材によって排水管の縦配管スペースを区画する場合は、蹴込み板部分の上部を配管カバー部の垂下板の前面に当接させることで、底板部分を前後方向に位置決めした状態で、蹴込み板部分の下部を配管カバーの水平板の上面に載置するようになっているので、位置決め部材を別途用意する必要がなく、蹴込み板部分の上部の高さを調整することによって、前後方向の区画位置を自由に設定することが可能になる。
【００２１】
また、請求項５〜７に係る発明のキャビネットでは、蹴込み板を、左右に分割することなく、保護部材として使用されない、分割された蹴込み板付き底板の底板部分に連設しているので、通常の使用状態において前面に位置する蹴込み板に切れ目が形成されることがなく、体裁がよい。
【００２２】
また、請求項５に係る発明のキャビネットでは、保護部材として使用される、分割された蹴込み板付き底板が、底板部分の左右方向の長さをＬｂ、後脚板部分の左右方向の長さをＬｒとしたときに、Ｌｂ＞Ｌｒとなるように設定し、その保護部材によって排水管の縦配管スペースを区画する場合は、底板部分における後脚板部分から突出している部分が配管カバー部の前方側で垂下するように、後脚板部分を配管カバーの水平板の上面に載置するようにしたので、請求項３に係る発明と同様に、保護部材を配管カバー部の前面側で固定することができ、保持安定性が向上する。
【００２３】
また、請求項６、７に係る発明のキャビネットでは、保護部材として使用される、分割された蹴込み板付き底板は、底板部分の左右方向の長さをＬｂ、後脚板部分の上部の左右方向の長さをＬｒｕ、後脚板部分の下部の左右方向の長さをＬｒｄとしたときに、Ｌｂ≧Ｌｒｕ＞Ｌｒｄとなるように設定されており、その保護部材によって排水管の縦配管スペースを区画する場合は、後脚板部分の上部を配管カバー部の垂下板の前面に当接させることで、底板部分を前後方向に位置決めした状態で、後脚板部分の下部を配管カバーの水平板の上面に載置するようになっているので、請求項４に係る発明と同様に、位置決め部材を別途用意する必要がなく、後脚板部分の上部の高さを調整することによって、前後方向の区画位置を自由に設定することが可能になる。
【００２４】
また、請求項８に係る発明のキャビネットは、配管カバー部の垂下板の前面に、保護部材として使用する、分割された蹴込み板付き底板を、その底板部分を当接させることによって、前後方向に位置決めする位置決め部材が取り付けられているので、例えば、排水管の縦配管のみならず、背板から前方側に突出する給水管や給湯管に取り付けた止水栓部分までも覆うように区画したい場合には、その位置決め部材の前後方向の突出量を調整することによって、前後方向の区画位置を自由に設定することが可能になる。
【００２５】
また、請求項９に係る発明のキャビネットは、保護部材として使用される、分割された一方の蹴込み板付き底板の蹴込み板に着脱可能に取り付ける連結部材を備えており、連結部材を取り付けた保護部材によって、排水管の縦配管スペースを区画した状態では、連結部材が蹴込み板と背板との間の隙間を閉塞するようになっているので、排水管の縦配管スペースを完全に区画することができ、体裁がよい。
【００２６】
また、請求項１０に係る発明のキャビネットは、扉が、側板に着脱自在に取り付けられているので、扉を簡単に取り外すことができ、作業性がよい。
【図面の簡単な説明】
【００２７】
【図１】この発明に係るキャビネットの一実施形態を備えた洗面化粧台を示す平面図である。
【図２】同上の洗面化粧台を示す正面図である。
【図３】同上のキャビネット（同上の洗面化粧台における洗面ボウルを省略した状態）を示す平面図である。
【図４】同上の洗面化粧台における扉を開いた状態を示す正面図である。
【図５】（ａ）は同上の洗面化粧台の一部切り欠き左側面図、（ｂ）は同上の洗面化粧台の一部切り欠き右側面図、（ｃ）は（ａ）の部分拡大断面図である。
【図６】（ａ）は同上のキャビネットに設置されている蹴込み板付き底板を示す斜視図、（ｂ）は同上の蹴込み板付き底板を分割した状態を示す斜視図である。
【図７】同上のキャビネット（同上の洗面化粧台における洗面ボウルを省略した状態）における蹴込み板付き底板を取り外した状態を示す平面図である。
【図８】同上の洗面化粧台における扉を開いて蹴込み板付き底板を取り外した状態を示す正面図である。
【図９】同上の洗面化粧台の通常態様状態から車椅子の使用態様状態への改変作業を説明するための作業工程図である。
【図１０】同上の洗面化粧台の通常態様状態から車椅子の使用態様状態への改変作業を説明するための作業工程図である。
【図１１】同上の洗面化粧台の通常態様状態から車椅子の使用態様状態への改変作業を説明するための作業工程図である。
【図１２】（ａ）、（ｂ）は同上の洗面化粧台の通常態様状態から車椅子の使用態様状態への改変作業を説明するための作業工程図である。
【図１３】（ａ）、（ｂ）は同上の洗面化粧台の通常態様状態から車椅子の使用態様状態への改変作業を説明するための作業工程図である。
【図１４】同上の洗面化粧台の通常態様状態から車椅子の使用態様状態への改変作業を説明するための作業工程図である。
【図１５】車椅子の使用態様状態に改変した同上のキャビネット（同上の洗面化粧台における洗面ボウルを省略した状態）を示す平面図である。
【図１６】車椅子の使用態様状態に改変した同上の洗面化粧台を示す正面図である。
【図１７】（ａ）は車椅子の使用態様状態に改変した同上の洗面化粧台を示す一部切り欠き左側面図、（ｂ）は同上の洗面化粧台を示す一部切り欠き右側面図である。
【図１８】（ａ）はキャビネット本体の変形例を示す平面図、（ｂ）は同上のキャビネット本体を示す正面図、（ｃ）は同上のキャビネット本体を示す縦断面図である。
【図１９】（ａ）は車椅子の使用態様状態に改変した同上のキャビネット本体を示す平面図、（ｂ）は同上のキャビネット本体を示す正面図、（ｃ）は同上のキャビネット本体を示す縦断面図である。
【図２０】（ａ）はキャビネット本体の他の変形例に採用されている蹴込み板付き底板を示す斜視図、（ｂ）は同上の蹴込み板付き底板を分割した状態を示す斜視図である。
【図２１】（ａ）は同上のキャビネット本体を示す平面図、（ｂ）は同上のキャビネット本体を示す正面図、（ｃ）は同上のキャビネット本体を示す縦断面図である。
【図２２】（ａ）は車椅子の使用態様状態に改変した同上のキャビネット本体を示す平面図、（ｂ）は同上のキャビネット本体を示す正面図、（ｃ）は同上のキャビネット本体を示す縦断面図である。
【図２３】（ａ）はキャビネット本体の他の変形例を示す平面図、（ｂ）は同上のキャビネット本体を示す正面図、（ｃ）は同上のキャビネット本体を示す縦断面図である。
【図２４】（ａ）は車椅子の使用態様状態に改変した同上のキャビネット本体を示す平面図、（ｂ）は同上のキャビネット本体を示す正面図、（ｃ）は同上のキャビネット本体を示す縦断面図である。
【図２５】（ａ）はキャビネット本体の他の変形例を示す平面図、（ｂ）は同上のキャビネット本体を示す正面図、（ｃ）は同上のキャビネット本体を示す縦断面図である。
【図２６】（ａ）は車椅子の使用態様状態に改変した同上のキャビネット本体を示す平面図、（ｂ）は同上のキャビネット本体を示す正面図、（ｃ）は同上のキャビネット本体を示す縦断面図である。
【図２７】（ａ）はキャビネット本体の他の変形例に採用されている蹴込み板付き底板を示す斜視図、（ｂ）は同上の蹴込み板付き底板を分割した状態を示す斜視図である。
【図２８】（ａ）は同上のキャビネット本体を示す平面図、（ｂ）は同上のキャビネット本体を示す正面図、（ｃ）は同上のキャビネット本体を示す縦断面図である。
【図２９】（ａ）は車椅子の使用態様状態に改変した同上のキャビネット本体を示す平面図、（ｂ）は同上のキャビネット本体を示す正面図、（ｃ）は同上のキャビネット本体を示す縦断面図である。
【図３０】（ａ）はキャビネット本体の他の変形例に採用されている蹴込み板付き底板を示す斜視図、（ｂ）は同上の蹴込み板付き底板を分割した状態を示す斜視図である。
【図３１】（ａ）は同上のキャビネット本体を示す平面図、（ｂ）は同上のキャビネット本体を示す正面図、（ｃ）は同上のキャビネット本体を示す縦断面図である。
【図３２】（ａ）は車椅子の使用態様状態に改変した同上のキャビネット本体を示す平面図、（ｂ）は同上のキャビネット本体を示す正面図、（ｃ）は同上のキャビネット本体を示す縦断面図である。
【図３３】（ａ）はキャビネット本体の他の変形例を示す平面図、（ｂ）は同上のキャビネット本体を示す正面図、（ｃ）は同上のキャビネット本体を示す縦断面図である。
【図３４】（ａ）は車椅子の使用態様状態に改変した同上のキャビネット本体を示す平面図、（ｂ）は同上のキャビネット本体を示す正面図、（ｃ）は同上のキャビネット本体を示す縦断面図である。
【図３５】（ａ）はキャビネット本体の他の変形例を示す平面図、（ｂ）は同上のキャビネット本体を示す正面図、（ｃ）は同上のキャビネット本体を示す縦断面図である。
【図３６】（ａ）は車椅子の使用態様状態に改変した同上のキャビネット本体を示す平面図、（ｂ）は同上のキャビネット本体を示す正面図、（ｃ）は同上のキャビネット本体を示す縦断面図である。
【図３７】従来の車椅子対応のキャビネットを備えた洗面化粧台を示す斜視図である。
【図３８】同上の洗面化粧台を示す断面図である。
【図３９】同上の洗面化粧台を車椅子の使用態様に改変した状態を示す断面図である。
【発明を実施するための形態】
【００２８】
以下、実施の形態について図面を参照して説明する。図１〜図５は、本発明の車椅子対応のキャビネット１の上部に洗面ボウルＢを取り付けた洗面化粧台を示しており、このキャビネット１は、同図に示すように、前面が開放されたキャビネット本体１０と、このキャビネット本体１０の前面開口を開閉する扉２０とを備えている。
【００２９】
前記キャビネット本体１０は、背板１１、左右一対の側板１２、１２、底板１４の前端部に蹴込み板１５が連設された蹴込み板付き底板１３及び背板１１に沿うように、その下端部に配設される横配管を隠蔽する配管カバー部１６を備えており、配管カバー部１６は、背板１１から前方側に張り出す水平板１６ａ及びこの水平板１６ａの前端部に連設された垂下板１６ｂとから構成されている。
【００３０】
前記配管カバー部１６の右端部において、その水平板１６ａを貫通するように、排水縦管ＤＰが床面から立ち上がっており、この排水縦管ＤＰが、排水トラップ及び上部横排水管を介して、洗面ボウルＢの排水口に接続されている。また、背板１１の右半部における中間高さ位置において、壁面から給水管ＷＰ及び給湯管ＨＰがキャビネット本体１０内に引き込まれており、それぞれ止水栓ＳＶ、ＳＶを介して、洗面ボウルＢに取り付けられた混合水栓に接続されている。
【００３１】
前記蹴込み板付き底板１３は、配管カバー部１６の前方側の全領域を覆う底板１４と、この底板１４の前端部に連設された蹴込み板１５とから構成されており、底板１４の上面が配管カバー部１６の水平板１６ａの上面と同一高さになるように、蹴込み板１５の高さが設定されている。
【００３２】
また、蹴込み板付き底板１３は、その一部を、車椅子の使用態様において、排水縦管ＤＰの保護部材として使用するようになっており、図６（ａ）、（ｂ）に示すように、車椅子の使用態様状態において、排水縦管ＤＰの保護部材として使用される左側蹴込み板付き底板１３Ａと、右側蹴込み板付き底板１３Ｂとに分割することができるようになっている。
【００３３】
前記蹴込み板付き底板１３は、蹴込み板１５部分と底板１４部分とで左右方向の分割位置がそれぞれ異なっており、保護部材として使用される左側蹴込み板付き底板１３Ａは、底板１４部分の左右方向の長さＬｂ＞蹴込み板１５部分の左右方向の長さＬｒとなるように設定されており、底板１４部分が蹴込み板１５部分の右端部から配管カバー部１６の高さ分、即ち、蹴込み板付き底板１３の高さＨ分だけ張り出している。
【００３４】
前記配管カバー部１６の垂下板１６ｂにおける右半部の前面には、図５（ｃ）、図７及び図８に示すように、一対の桟木１７、１７が固定されていると共に、この一対の桟木１７、１７には、上端縁が一致するような状態で、車椅子の使用態様時に保護部材として使用される左側蹴込み板付き底板１３Ａの蹴込み板１５部分の下端面に、ダボ１８ａを介して着脱自在に連結される連結部材１８が、ダボ１７ａを介して着脱自在に取り付けられており、前記左側蹴込み板付き底板１３Ａは、底板１４部分の左側縁後部を、左側の側板１２の後部内面に着脱自在に取り付けた支持ピン１９に、底板１４部分の右側後部を、左側の支持桟木１７及び連結部材１８にそれぞれ載置することで、また、右側蹴込み板付き底板１３Ｂは、底板１４部分の後部を、右側の支持桟木１７及び連結部材１８にそれぞれ載置することで、底板１４部分が水平になるようにそれぞれ支持されている。
【００３５】
前記扉２０は、側板１２にワンタッチで着脱することができる座金２１及びこの座金２１にワンタッチで着脱することができる蝶番２２を介して、左右の側板１２、１２に開閉自在にそれぞれ取り付けられており、扉２０を閉じた状態では、その下端部が蹴込み板付き底板１３の底板１４部分の前端面に当接することで、位置決めされるようになっている。
【００３６】
以上のように構成された洗面化粧台のキャビネット１を、車椅子の使用態様状態に改変するには、まず、図９に示すように、座金２２から蝶番２１を取りはずすことによって、扉２０をキャビネット本体１０から取り外した後、図１０に示すように、蹴込み板付き底板１３（左側蹴込み板付き底板１３Ａ、右側蹴込み板付き底板１３Ｂ）を取り外し、図１１に示すように、一対の桟木１７、１７から連結部材１８を取り外し、図１２（ａ）、（ｂ）に示すように、連結部材１８を左側蹴込み板付き底板１３Ａの蹴込み板１５部分の下端面に取り付ける。
【００３７】
このようにして連結部材１８を取り付けた左側蹴込み板付き底板１３Ａを、図１３（ａ）、（ｂ）及び図１４に示すように、底板１４部分における蹴込み板１５部分から突出している部分が下方側を向くような状態で、蹴込み板１５部分を配管カバー部１６の水平板１６ａの上面に載置すると共に、底板１４部分を一対の桟木１７、１７の前端面に当接させるように、ダボ１７ａを介して桟木１７、１７に連結した後、通常態様状態において左側蹴込み板付き底板１３Ａの左側縁後部が載置されていた支持ピン１９を左側の側板１２から取り外し、右側の側板１２の対応する位置に取り付けることで、底板１４部分を右側の桟木１７と支持ピン１９との間に挟み込んで固定すると、連結部材１８が背板１１に当接すると共に、底板１４部分が右側の側板１２に当接した状態に保持され、連結部材１８を取り付けた左側蹴込み板付き底板１３Ａによって、排水縦管ＤＰと、給水管ＷＰ、給湯管ＨＰ及びそれらに取り付けられた止水栓ＳＶ、ＳＶとが取り囲まれる。
【００３８】
最後に、ワンタッチタイプの座金２１を側板１２から取り外すと、図１５、図１６及び図１７（Ａ）、（ｂ）に示すように、キャビネット本体１０の前面が完全に開放され、保護部材としての連結部材１８付きの左側蹴込み板付き底板１３Ａによって、キャビネット本体１０の後部側の右半部に配置された配管スペースだけが区画された車椅子の使用態様状態となる。
【００３９】
以上のように、このキャビネット１は、排水縦管ＤＰ、給水管ＷＰ及び給湯管ＨＰの配管スペースをキャビネット本体１０の右側の後方角部側に配置し、車椅子の使用態様時には、キャビネット本体１０から取り外して分割した左側蹴込み板付き底板１３Ａを、保護部材として、キャビネット本体１０の後部側の右半部に配置された配管スペースだけを区画するようにしたので、蹴込み板付き底板を分割することなく、そのまま排水管の保護部材としてキャビネット本体内の後部に起立させた従来の車椅子対応のキャビネットとは異なり、キャビネット本体１０内の左側の奥行きを広く使用することができる。従って、従来の車椅子対応のキャビネットに比べて、車椅子のフットレスト部分の進入空間を十分に確保することができ、車椅子に座った高齢者等が洗面化粧台を使い易くなる。
【００４０】
また、このキャビネット１は、配管スペースを区画する保護部材として使用される左側蹴込み板付き底板１３Ａが、底板１４部分の左右方向の長さＬｂ＞蹴込み板１５部分の左右方向の長さＬｒとなるように設定されており、その保護部材によって配管スペースを区画する場合は、底板１４部分における蹴込み板１５部分から突出している部分を、配管カバー部１６の前面に固定された一対の桟木１７、１７に、ダボ１７ａを介して連結することができるので、左側蹴込み板付き底板１３Ａを保護部材として使用する場合の保持安定性が向上する。
【００４１】
また、配管カバー部１６の前面には、保護部材として使用される左側蹴込み板付き底板１３Ａを、その底板１４部分を当接させることによって、前後方向に位置決めする位置決め部材としての桟木１７、１７が取り付けられているので、左側蹴込み板付き底板１３Ａによって、配管カバー部１６上に立ち上がっている排水縦管ＤＰだけでなく、配管カバー部１６よりも前方側に張り出している給水管ＷＰ及び給湯管ＨＰに取り付けられた止水栓ＳＶ、ＳＶ部分までも覆うように区画することができる。
【００４２】
また、このキャビネット１は、保護部材として使用される左側蹴込み板付き底板１３Ａに着脱可能に取り付ける連結部材１８を備えており、この連結部材１８を取り付けた左側蹴込み板付き底板１３Ａによって、配管スペースを区画した状態では、連結部材１８が蹴込み板１５部分と背板１１との間の隙間を閉塞するようになっているので、配管スペースを完全に区画することができ、体裁がよいと共に、保護部材である左側蹴込み板付き底板１３Ａの保持安定性も向上する。
【００４３】
また、このキャビネット１は、一対の扉２０、２０が、側板１２にワンタッチで着脱することができる座金２１及びこの座金２１にワンタッチで着脱することができる蝶番２２を介して、左右の側板１２、１２に開閉自在にそれぞれ取り付けられているので、ドライバー等の工具を使用することなく、扉２０を簡単に取り外すことができ、作業性がよい。
【００４４】
なお、上述した実施形態では、連結部材１８を一対の桟木１７、１７に着脱自在に取り付けているが、これに限定されるものではなく、例えば、蹴込み板付き底板１３（左側蹴込み板付き底板１３Ａまたは右側蹴込み板付き底板１３Ｂ）における底板１４または蹴込み板の内面側にダボを介して取り付けるといった具合に、通常態様時に視認することができない種々の部位に取り付けることも可能である。
【００４５】
また、上述した実施形態では、保護部材として使用される左側蹴込み板付き底板１３Ａに着脱可能に取り付ける連結部材１８を備えているが、これに限定されるものではなく、例えば、図１８（ａ）〜（ｃ）及び図１９（ａ）〜（ｃ）に示すように、連結部材を省略することも可能である。ただし、連結部材を省略すると、通常態様時に右側蹴込み板付き底板１３Ｂの左側後部を支持することができなくなるので、右側蹴込み板付き底板１３Ｂの左側後部を載置するための新たな桟木１７Ａを、配管カバー部１６の前面（垂下板１６ｂ）に固定しておく必要がある。この実施形態の場合も、上述した実施形態と同様に、車椅子の使用態様時には、左側蹴込み板付き底板１３Ａの底板１４部分における蹴込み板１５部分から突出している部分を、配管カバー部１６の前面に固定された各桟木１７、１７、１７Ａに、ダボ１７ａを介して連結することになるが、支持ピン１９については、右側の側板１２における底板１４部分の上端部付近の高さ位置に取り付けるようになっており、通常態様時には、左側蹴込み板付き底板１３Ａ及び右側蹴込み板付き底板１３Ｂの各底板１４の後端部を、各桟木１７、１７、１７Ａに載置すると共に、ダボ１７ａを介して、各桟木１７、１７、１７Ａに連結するようになっている。
【００４６】
また、上述した各実施形態では、位置決め部材として機能する桟木１７を、配管カバー部１６の前面（垂下板１６ｂ）に固定しているが、これに限定されるものではなく、例えば、図２０（ａ）、（ｂ）に示す蹴込み板付き底板１３ａのように、底板１４の後端部に蹴込み板１５と同様の後脚板１５ａを連設すると共に、配管スペースを区画する保護部材として使用される左側蹴込み板付き底板１３Ａａが、底板１４部分の左右方向の長さＬｂ≧蹴込み板１５部分及び後脚板１５ａ部分の上部の左右方向の長さＬｒｕ＞蹴込み板１５部分及び後脚板１５ａ部分の下部の左右方向の長さＬｒｄとなるように、分割位置を設定することにより、蹴込み板１５部分や後脚板１５ａ部分に位置決め部材としての機能を持たせることも可能であり、蹴込み板１５部分の上部の高さＨａを調整することによって、前後方向の区画位置を自由に設定することができる。
【００４７】
こういった蹴込み板付き底板１３ａが採用されたキャビネット本体の場合、例えば、図２１（ａ）〜（ｃ）に示すように、通常態様状態では、左側蹴込み板付き底板１３Ａａ及び右側蹴込み板付き底板１３Ｂａの後脚板１５ａの右端部分を、ダボ１７ａを介して、配管カバー部１６の前面（垂下板１６ｂ）にそれぞれ着脱自在に連結すると共に、通常態様時に視認することができないように、左右一対の側板１２、１２の内面側における蹴込み板付き底板１３ａの底板１４よりも下側の位置に一対の支持ピン１９、１９を着脱自在に取り付けておき、図２２（ａ）〜（ｃ）に示すように、車椅子の使用態様に改変した状態では、保護部材として使用される左側蹴込み板付き底板１３Ａａにおける蹴込み板１５部分の上部端面を、配管カバー部１６の前面（垂下板１６ｂ）に、ダボ１７ａを介して連結すると共に、左側の側板１２に取り付けてあった支持ピン１９を外して、右側の側板１２における底板１４部分の上端部付近の高さ位置に取り付けることによって、左側蹴込み板付き底板１３Ａａを固定すればよい。
【００４８】
また、上述した各実施形態では、配管カバー部１６よりも前方側に張り出している給水管ＷＰ及び給湯管ＨＰに取り付けられた止水栓ＳＶ、ＳＶ部分までも覆うように区画するために、保護部材として使用する左側蹴込み板付き底板１３Ａ、１３Ａａを、桟木１７等を用いて配管カバー部１６よりも前方側に位置決めしているが、これに限定されるものではなく、止水栓ＳＶ、ＳＶ部分を覆わないように区画する場合や、止水栓ＳＶ、ＳＶが配管カバー部１６よりも前方側に張り出していない場合は、例えば、図２３（ａ）〜（ｃ）及び図２４（ａ）〜（ｃ）に示すように、桟木１７等の位置決め部材を設けずに、車椅子の使用態様に改変した状態では、蹴込み板付き底板１３から分割された、保護部材として使用する左側蹴込み板付き底板１３Ａの張り出した底板１４部分を配管カバー部１６の前面（垂下板１６ｂ）に重ね合わせるようにして、左側蹴込み板付き底板１３Ａの蹴込み板１５部分を配管カバー部１６の水平板１６ａの上面に載置すればよい。
【００４９】
このように、桟木１７を設けない場合は、通常態様状態において、左側蹴込み板付き底板１３Ａの右側後部や右側蹴込み板付き底板１３Ｂの後部を支持することができないので、図２３（ａ）〜（ｃ）に示すように、配管カバー部１６の前面（垂下板１６ｂ）に複数のダボ１７ａを取り付けて、それらのダボ１７ａに左側蹴込み板付き底板１３Ａの右側後部や右側蹴込み板付き底板１３Ｂの後部を載置するようにし、車椅子の使用態様に改変した状態では、図２４（ａ）〜（ｃ）に示すように、保護部材として使用される左側蹴込み板付き底板１３Ａにおける張り出した底板１４部分を、複数のダボ１７ａを介して配管カバー部１６の前面（垂下板１６ｂ）に連結すると共に、左側の側板１２に取り付けてあった支持ピン１９を外して、右側の側板１２における底板１４部分の上端部付近の高さ位置に取り付けることによって、左側蹴込み板付き底板１３Ａを固定すればよい。
【００５０】
また、桟木１７を設けない場合は、例えば、図２５（ａ）〜（ｃ）及び図２６（ａ）〜（ｃ）に示すように、底板１４の後端部に蹴込み板１５と同様の後脚板１５ａを連設すると共に、上述した蹴込み板付き底板１３における蹴込み板１５の分割位置と同様の位置で後脚板１５ａを分割した蹴込み板付き底板１３ｂを使用してもよい。
【００５１】
このように、底板１４の後端部に後脚板１５ａを連設した蹴込み板付き底板１３ｂを採用する場合、通常態様状態では、図２５（ａ）〜（ｃ）に示すように、保護部材として使用しない右側蹴込み板付き底板１３Ｂｂを、一対のダボ１７ａを介して、配管カバー部１６の前面（垂下板１６ｂ）に着脱自在に連結すると共に、通常態様時に視認することができないように、左側の側板１２の内面側における蹴込み板付き底板１３ｂの底板１４よりも下側の位置に支持ピン１９を着脱自在に取り付けておき、図２６（ａ）〜（ｃ）に示すように、車椅子の使用態様に改変した状態では、保護部材として使用される左側蹴込み板付き底板１３Ａｂにおける張り出した底板１４部分を、配管カバー部１６の前面（垂下板１６ｂ）に、一対のダボ１７ａを介して連結すると共に、左側の側板１２に取り付けてあった支持ピン１９を外して、右側の側板１２における底板１４部分の上端部付近の高さ位置に取り付けることによって、左側蹴込み板付き底板１３Ａｂを固定すればよい。
【００５２】
また、上述した蹴込み板付き底板１３ｂは、蹴込み板部分と底板部分とで左右方向の分割位置がそれぞれ異なっているが、これに限定されるものではなく、例えば、図２７（ａ）、（ｂ）に示すように、蹴込み板１５部分と底板１４部分とで左右方向の分割位置が一致するように、左側蹴込み板付き底板１３Ａｃ及び右側蹴込み板付き底板１３Ｂｃに２分割可能な蹴込み板付き底板１３ｃを使用してもよい。
【００５３】
こういった蹴込み板付き底板１３ｃが採用されたキャビネット本体の場合、例えば、図２８（ａ）〜（ｃ）に示すように、通常態様時に視認することができないように、左右一対の側板１２、１２の内面側における蹴込み板付き底板１３ｃの底板１４よりも下側の位置に一対の支持ピン１９、１９を着脱自在に取り付けておき、図２９（ａ）〜（ｃ）に示すように、車椅子の使用態様に改変した状態では、保護部材として使用される分割された左側蹴込み板付き底板１３Ａｃ（または右側蹴込み板付き底板１３Ｂｃ）を、配管カバー部１６の上面（水平板１６ａ）に載置し、左右の側板１２、１２に取り付けてあった支持ピン１９、１９を外して、右側の側板１２における底板１４部分の上端部付近及び下端部付近の高さ位置にそれぞれ取り付けることによって、左側蹴込み板付き底板１３Ａｃ（または右側蹴込み板付き底板１３Ｂｃ）を固定すればよい。
【００５４】
また、上述した各実施形態では、蹴込み板付き底板１３、１３ａ、１３ｂ、１３ｃを分割する際、蹴込み板１５についても分割しているが、これに限定されるものではなく、例えば、図３０（ａ）、（ｂ）に示す蹴込み板付き底板１３ｄのように、左右に分割される後脚板１５ａを底板１４の後端部に連設すると共に、蹴込み板１５を、左右に分割することなく、保護部材として使用される右側蹴込み板付き底板１３Ｂｄ側に張り出すような状態で、保護部材として使用されない左側蹴込み板付き底板１３Ａｄの底板１４部分に連設し、左側蹴込み板付き底板１３Ａｄから張り出した蹴込み板１５部分に、右側蹴込み板付き底板１３Ｂｄの底板１４の前部を載置するようにしてもよい。
【００５５】
また、配管スペースを区画する保護部材として使用される右側蹴込み板付き底板１３Ｂｄは、底板１４部分の左右方向の長さＬｂ≧後脚板１５ａ部分の上部の左右方向の長さＬｒｕ＞後脚板１５ａ部分の下部の左右方向の長さＬｒｄとなるように、後脚板１５ａ部分の左端側が一部切り欠かれており、後脚板１５ａ部分が位置決め部材としての機能するようになっている。
【００５６】
こういった蹴込み板付き底板１３ｄが採用されたキャビネット本体の場合は、例えば、図３１（ａ）〜（ｃ）に示すように、配管カバー部１６の垂下板１６ｂにおける右端の前面に、右側蹴込み板付き底板１３Ｂｄの後脚板１５ａ部分の上部の高さＨａ（図３０（ｂ）参照）と同一の張出長さを有する桟木１７を固定すると共に、通常態様時に視認することができないように、右側の側板１２の内面側における蹴込み板付き底板１３ｄの底板１４よりも下側の位置に支持ピン１９を着脱自在に取り付けておき、図３２（ａ）〜（ｃ）に示すように、車椅子の使用態様に改変した状態では、保護部材として使用される右側蹴込み板付き底板１３Ｂｄにおける底板１４部分（通常態様状態における前端部分）を桟木１７に当接させると共に、後脚板１５ａ部分の上部端面を、配管カバー部１６の前面（垂下板１６ｂ）に、ダボ１７ａを介して連結し、右側の側板１２に取り付けてあった支持ピン１９によって、底板１４部分（通常態様状態における前端部分）を桟木１７との間に挟み込んで右側蹴込み板付き底板１３Ｂｄを固定すればよい。
【００５７】
この蹴込み板付き底板１３ｄは、蹴込み板１５を、左右に分割することなく、保護部材として使用されない左側蹴込み板付き底板１３Ａｄの底板１４部分に連設しているので、通常の使用状態において前面に位置する蹴込み板１５に切れ目が形成されることがなく、体裁がよい。
【００５８】
また、図３１及び図３２に示すキャビネット本体１０では、車椅子の使用態様に改変した状態において、保護部材として使用される分割された右側蹴込み板付き底板１３Ｂｄの後脚板１５ａ部分と背板１１との間に隙間が形成されないように、配管カバー部１６の高さや奥行き及びキャビネット本体１０の奥行きが設定されているので、車椅子の使用態様に改変する際に、連結部材１８等を取り付ける必要がなく、部品点数が少なくなると共に改変作業性もよい。
【００５９】
また、この蹴込み板付き底板１３ｄでは、保護部材として使用される右側蹴込み板付き底板１３Ｂｄにおける後脚板１５ａ部分の左端側が一部切り欠かれているが、これに限定されるものではなく、図２０に示す蹴込み板付き底板１３ａの蹴込み板１５や後脚板１５ａのように、単に左右に分割することで、右側蹴込み板付き底板１３Ｂｄの後脚板１５ａの切り欠き部に相当する部分に、左側蹴込み板付き底板１３Ａｄにおける後脚板１５ａの張り出し部が嵌合するようにしてもよい。
【００６０】
前記蹴込み板付き底板１３ｄでは、保護部材として使用される右側蹴込み板付き底板１３Ｂｄにおける後脚板１５ａ部分の左端側を一部切り欠くことによって、その後脚板１５ａ部分に位置決め部材としての機能を付与しているが、これに限定されるものではなく、例えば、図３３（ａ）〜（ｃ）に示すキャビネット本体１０に採用されている蹴込み板付き底板１３ｅのように、保護部材として使用される右側蹴込み板付き底板１３Ｂｅの後脚板１５ａ部分に位置決め部材としての機能を付与することなく、後脚板１５ａの左端側を完全に切除することも可能である。なお、保護部材として使用されない左側蹴込み板付き底板１３Ａｅは、上述した左側蹴込み板付き底板１３Ａｄと同様に、底板１４と後脚板１５ａとが同一幅に設定されていると共に、蹴込み板１５が、左右に分割されることなく、底板１４の前部に連設されている。
【００６１】
こういった蹴込み板付き底板１３ｅを採用する場合は、例えば、図３３（ａ）〜（ｃ）に示すキャビネット本体１０のように、配管カバー部１６の垂下板１６ｂに、位置決め部材として機能する一対の桟木１７、１７を固定すると共に、この桟木１７、１７の前端面にダボ１７ａをそれぞれ取り付けておき、図３４（ａ）〜（ｃ）に示すように、車椅子の使用態様に改変した状態では、保護部材として使用される分割された右側蹴込み板付き底板１３Ｂｅの底板１４部分における後脚板１５ａ部分から突出している部分が下方側を向くような状態で、後脚板１５ａ部分を配管カバー部１６の水平板１６ａの上面に載置すると共に、底板１４部分に予め形成されている一対のダボ穴にダボ１７ａ、１７ａを差し込むことによって、底板１４部分を一対の桟木１７、１７の前端面に当接させた状態で、桟木１７、１７に連結すればよい。
【００６２】
なお、このキャビネット本体１０の場合、図３４（ｃ）に示すように、車椅子の使用態様に改変した状態では、保護部材として使用される分割された右側蹴込み板付き底板１３Ｂｅの後脚板１５ａ部分と背板１１との間に隙間が形成されるので、上述した連結部材１８と同様の連結部材を、通常態様時に視認することができない位置に着脱自在に取り付けておき、車椅子の使用態様に改変する際に、それを取り外して後脚板１５ａ部分に連結することにより、右側蹴込み板付き底板１３Ｂｅの後脚板１５ａ部分と背板１１との間に形成される隙間を閉塞するようにしてもよい。
【００６３】
また、上述した実施形態では、保護部材として使用する右側蹴込み板付き底板１３Ｂｅを、桟木１７、１７を用いて配管カバー部１６よりも前方側に位置決めしているが、これに限定されるものではなく、止水栓ＳＶ、ＳＶ部分を覆わないように区画する場合や、止水栓ＳＶ、ＳＶが配管カバー部１６よりも前方側に張り出していない場合は、例えば、図３５（ａ）〜（ｃ）及び図３６（ａ）〜（ｃ）に示すように、桟木１７等の位置決め部材を設けずに、車椅子の使用態様に改変した状態では、蹴込み板付き底板１３ｆから分割された、保護部材として使用する右側蹴込み板付き底板１３Ｂｆの張り出した底板１４部分を配管カバー部１６の前面（垂下板１６ｂ）に重ね合わせるようにして、右側蹴込み板付き底板１３Ｂｆの後脚板１５ａ部分を配管カバー部１６の水平板１６ａの上面に載置すればよい。
【００６４】
この蹴込み板付き底板１３ｆは、後脚板１５ａと底板１４部分とで左右方向の分割位置がそれぞれ異なっており、保護部材として使用される右側蹴込み板付き底板１３Ｂｆは、底板１４部分の左右方向の長さ＞後脚板１５ａ部分の左右方向の長さとなるように設定されており、底板１４部分が後脚板１５ａ部分の左端部から配管カバー部１６の高さ分だけ張り出しているが、保護部材として使用されない左側蹴込み板付き底板１３Ａｆは、逆に、後脚板１５ａ部分が底板１４部分の右端部から配管カバー部１６の高さ分だけ張り出している。
【００６５】
この右側蹴込み板付き底板１３Ｂｆの底板１４部分における後脚板１５ａ部分から張り出した部分には、一対のダボ１７ａ、１７ａが取り付けられており、３５（ａ）〜（ｃ）に示す通常態様状態では、このダボ１７ａ、１７ａを介して、右側蹴込み板付き底板１３Ｂｆの底板１４部分が左側蹴込み板付き底板１３Ａｆの後脚板１５ａ部分及び蹴込み板１５に着脱自在に連結されているので、車椅子の使用態様に改変した状態では、図３６（ａ）〜（ｃ）に示すように、保護部材として使用される右側蹴込み板付き底板１３Ｂｆにおける張り出した底板１４部分を配管カバー部１６の前面（垂下板１６ｂ）に重ね合わせる際、一対のダボ１７ａ、１７ａを配管カバー部１６の垂下板１６ｂに予め形成されている一対のダボ穴に差し込むことによって、配管カバー部１６に連結すればよい。
【００６６】
また、上述した各実施形態では、洗面化粧台に使用されるキャビネットについて説明したが、これに限定されるものではなく、本発明の車椅子対応のキャビネットは、例えば、流し台等、給排水設備を有する種々のキャビネットに適用することができる。
【産業上の利用可能性】
【００６７】
本発明のキャビネットは、洗面化粧台や流し台に使用される給排水設備を有するキャビネットとして利用することができる。
【符号の説明】
【００６８】
１  キャビネット
１０  キャビネット本体
１１  背板
１２  側板
１３、１３ａ、１３ｂ、１３ｃ、１３ｄ、１３ｅ、１３ｆ  蹴込み板付き底板
１３Ａ、１３Ａａ、１３Ａｂ、１３Ａｃ、１３Ａｄ、１３Ａｅ、１３Ａｆ  左側蹴込み板付き底板
１３Ｂ、１３Ｂａ、１３Ｂｂ、１３Ｂｃ、１３Ｂｄ、１３Ｂｅ、１３Ｂｆ  右側蹴込み板付き底板
１４  底板
１５  蹴込み板
１５ａ  後脚板
１６  配管カバー部
１６ａ  水平板
１６ｂ  垂下板
１７、１７Ａ  桟木
１７ａ  ダボ
１８  連結部材
１８ａ  ダボ
１９  支持ピン
２０  扉
２１  座金
２２  蝶番
Ｂ  洗面ボウル
ＤＰ  排水縦管
ＨＰ  給湯管
ＷＰ  給水管
ＳＶ  止水栓
【図１】
2014057813.tif 000003
【図２】
2014057813.tif 000004
【図３】
2014057813.tif 000005
【図４】
2014057813.tif 000006
【図５】
2014057813.tif 000007
【図６】
2014057813.tif 000008
【図７】
2014057813.tif 000009
【図８】
2014057813.tif 000010
【図９】
2014057813.tif 000011
【図１０】
2014057813.tif 000012
【図１１】
2014057813.tif 000013
【図１２】
2014057813.tif 000014
【図１３】
2014057813.tif 000015
【図１４】
2014057813.tif 000016
【図１５】
2014057813.tif 000017
【図１６】
2014057813.tif 000018
【図１７】
2014057813.tif 000019
【図１８】
2014057813.tif 000020
【図１９】
2014057813.tif 000021
【図２０】
2014057813.tif 000022
【図２１】
2014057813.tif 000023
【図２２】
2014057813.tif 000024
【図２３】
2014057813.tif 000025
【図２４】
2014057813.tif 000026
【図２５】
2014057813.tif 000027
【図２６】
2014057813.tif 000028
【図２７】
2014057813.tif 000029
【図２８】
2014057813.tif 000030
【図２９】
2014057813.tif 000031
【図３０】
2014057813.tif 000032
【図３１】
2014057813.tif 000033
【図３２】
2014057813.tif 000034
【図３３】
2014057813.tif 000035
【図３４】
2014057813.tif 000036
【図３５】
2014057813.tif 000037
【図３６】
2014057813.tif 000038
【図３７】
2014057813.tif 000039
【図３８】
2014057813.tif 000040
【図３９】
2014057813.tif 000041